(57)【要約】【課題】フォーカルプレンシャッタにおいて、地板の長孔から羽根室内に進入した異物が飛散して背後の撮像素子等に付着するのを防止する。【解決手段】露光用の開口部１０ａ，２０ａ及び長孔１０ｂ，１０ｃ，２０ｂ，２０ｃを有する地板１０及び裏板２０、羽根室Ｗ内に移動自在に配置された羽根部材４０，５０、羽根部材を駆動するべく地板の外側に配置され長孔を通して羽根部材に連結される駆動ピン６０ａ，７０ａを有する駆動部材６０，７０を備え、地板は羽根室側において長孔の周囲に形成された環状凹部１０ｊ及び環状凹部１０ｊに配置された吸着シート部材９１を有する。これによれば、構造の簡素化、装置の薄型化及び小型化等を達成しつつ、撮像素子等に影響を及ぼす摩耗粉、油滴（潤滑剤）等の異物が飛散して撮像素子等に付着するのを防止でき、より高精細な画像を撮影することができる。【選択図】図６
2015148734.tif 000002
【特許請求の範囲】
【請求項１】
露光用の開口部及び長孔を有する地板と、前記地板と所定間隔をおいて配置され前記地板と協働して羽根室を画定すると共に露光用の開口部及び長孔を有する裏板と、前記開口部を開閉するべく前記羽根室内に移動自在に配置された羽根部材と、前記羽根部材を駆動するべく前記地板の外側に移動自在に配置されると共に前記長孔を通して前記羽根部材に連結される駆動ピンを有する駆動部材と、を備えたフォーカルプレンシャッタであって、
前記地板は、前記羽根室側において、その長孔の周囲に形成された環状凹部を有し、
前記地板の環状凹部には、吸着シート部材が配置されている、
ことを特徴とするフォーカルプレンシャッタ。
【請求項２】
前記地板は、前記羽根室側において、その環状凹状部の近傍に形成された複数の長尺凹部を有し、
前記地板の長尺凹部には、吸着シート部材が配置されている、
ことを特徴とする請求項１に記載のフォーカルプレンシャッタ。
【請求項３】
前記裏板は、前記羽根室側において、その長孔の周囲に形成された環状凹部を有し、
前記裏板の環状凹部には、吸着シート部材が配置されている、
ことを特徴とする請求項１又は２に記載のフォーカルプレンシャッタ。
【請求項４】
前記裏板は、前記羽根室側において、その環状凹状部の近傍に形成された複数の長尺凹部を有し、
前記裏板の長尺凹部には、吸着シート部材が配置されている、
ことを特徴とする請求項３に記載のフォーカルプレンシャッタ。
【請求項５】
前記地板と前記裏板の間に配置されて前記羽根室を第１羽根室及び第２羽根室に二分すると共に露光用の開口部を有する中間板を含み、
前記羽根部材は、シャッタ動作時に、前記開口部を開放するべく前記第１羽根室及び第２羽根室の一方に配置された先羽根及び前記開口部を閉鎖するべく前記第１羽根室及び第２羽根室の他方に配置された後羽根を含み、
前記駆動部材は、前記先羽根に連結される駆動ピンを有する先羽根駆動部材及び前記後羽根に連結される駆動ピンを有する後羽根駆動部材を含み、
前記地板及び裏板は、前記先羽根駆動部材の駆動ピンを通す長孔及び前記後羽根駆動部材の駆動ピンを通す長孔を有する、
ことを特徴とする請求項１ないし４いずれか一つに記載のフォーカルプレンシャッタ。
【請求項６】
請求項１ないし５いずれか一つに記載のフォーカルプレンシャッタと、前記フォーカルプレンシャッタの後方に配置された撮像素子を含む、
ことを特徴とするカメラ。
【発明の詳細な説明】
【技術分野】
【０００１】
本発明は、露光用の開口部を開閉する羽根部材を有するフォーカルプレンシャッタに関し、特に、一眼カメラ、一眼レフカメラ、ミラーレスカメラ、レンジファインダカメラ等のデジタルカメラにおいて、露光用の開口部を開閉する羽根部材を、地板の長孔を通して連結された駆動部材により開閉駆動するフォーカルプレンシャッタ及びカメラに関する。
【背景技術】
【０００２】
従来のフォーカルプレンシャッタとしては、露光用の開口部及び長孔を有する略矩形の地板、地板と所定間隔をおいて配置され地板と協働して羽根室を画定すると共に露光用の開口部を有する中間板、地板及び中間板と所定間隔をおいて配置され中間板と協働して羽根室を画定すると共に長孔を有する裏板（補助地板）、地板の開口部を開閉するべく地板と中間板の間の羽根室に移動自在に配置された先羽根（羽根部材）及び中間板と裏板の間の羽根室に移動自在に配置された後羽根（羽根部材）、先羽根を駆動するべく地板の外側に配置されると共に地板及び裏板の長孔に通され先羽根に連結される駆動ピンを有する先羽根用駆動部材、後羽根を駆動するべく地板の外側に配置されると共に地板及び裏板の長孔に通され後羽根に連結される駆動ピンを有する後羽根用駆動部材、先羽根用駆動部材及び後羽根駆動部材の駆動ピンをシャッタ動作完了時にそれぞれ当接させて衝撃を緩和するべく地板の長孔の端部に固定されたゴム製の緩衝部材等を備え、地板の長孔の周りにおいて光軸方向の外側に突出した突出壁を設け、又、地板の外側面で突出壁の外周に粘着シートを貼付し、シャッタ機構（各種の可動部材）の作動によって発生した摩耗粉等が長孔から羽根室内に進入し難くしたものが知られている（例えば、特許文献１を参照）。
【０００３】
しかしながら、このフォーカルプレンシャッタにおいては、地板の長孔の周りにおいて光軸方向に突出した突出壁を設けるものであるため、光軸方向の厚さ寸法が大きくなり、又、地板の面に沿って移動して突出壁に衝突した摩耗粉や油滴（潤滑剤）等を粘着シートで捕らえることはできても、地板に垂直な光軸方向から長孔に向けて飛散してきた磨耗粉や油滴等の異物は、突出壁により粘着シートから隔てられて寧ろ長孔内に向けて案内されて羽根室内に進入し、又、羽根室内に進入した異物は裏板の長孔を通過して、撮像素子が配置された領域に入り込むため、異物混入対策（コンタミ対策）としては確実なものではなかった。
特に、近年の撮像素子の高画素化に伴い、撮像素子の撮像面に付着する異物（磨耗粉、油滴等）については、従来は影響の無かった数量や大きさ（サイズ）までも影響を及ぼすようになっており、より確実な異物混入対策が望まれている。
【先行技術文献】
【特許文献】
【０００４】
【特許文献１】特開２００３−２７０７００号公報
【発明の概要】
【発明が解決しようとする課題】
【０００５】
本発明は、上記の事情に鑑みて成されたものであり、その目的とするところは、構造の簡素化、装置の薄型化及び小型化等を図りつつ、撮像素子等に影響を及ぼす摩耗粉、油滴（潤滑剤）等の異物が地板及び裏板により画定される羽根室を通過して撮像素子側に入り込むのを抑制ないし防止して、より高精細な画像を撮影することのできるフォーカルプレンシャッタ及びそれを用いたカメラを提供することにある。
【課題を解決するための手段】
【０００６】
本発明のフォーカルプレンシャッタは、露光用の開口部及び長孔を有する地板と、地板と所定間隔をおいて配置され地板と協働して羽根室を画定すると共に露光用の開口部及び長孔を有する裏板と、開口部を開閉するべく羽根室内に移動自在に配置された羽根部材と、羽根部材を駆動するべく地板の外側に移動自在に配置されると共に長孔を通して羽根部材に連結される駆動ピンを有する駆動部材と、を備えたフォーカルプレンシャッタであって、上記地板は、羽根室側において、その長孔の周囲に形成された環状凹部を有し、地板の環状凹部には、吸着シート部材が配置されている、ことを特徴としている。
この構成によれば、駆動部材が地板の外側に配置され、羽根部材が地板と裏板の間の羽根室に配置され、駆動部材の駆動ピンが地板の長孔を通して羽根部材に連結されると共に裏板の長孔に臨む構成において、駆動ピンが長孔の範囲内で往復動することにより、羽根部材が開口部を開閉する。
ここで、地板には、羽根室側（内側）において、その長孔の周囲に環状凹部が形成され、その環状凹部に吸着シート部材が配置されているため、駆動部材を含む可動部材等から発生する摩耗粉や油滴（潤滑剤）等の異物が、地板の長孔を通して羽根室内に進入すると、羽根室内に設けられた吸着シート部材に吸着されて捕獲され、それ故に、地板及び裏板により形成される羽根室を通過してその背後に配置される撮像素子等に達して付着する異物等を低減ないし防止することができる。また、吸着シート部材は、環状凹部内に配置されているため、羽根室内に突出することなく、羽根部材を邪魔することなく、異物を吸着して捕らえることができる。
【０００７】
上記構成において、地板は、羽根室側において、その環状凹状部の近傍に形成された複数の長尺凹部を有し、地板の長尺凹部には、吸着シート部材が配置されている、構成を採用することができる。
この構成によれば、地板の環状凹部の近傍に複数の長尺凹部が設けられ、これらの長尺凹部にも吸着シート部材が配置されているため、その分だけ吸着面積が大きくなり、地板の長孔を通して羽根室内に進入した異物をより確実に捕獲することができる。
【０００８】
上記構成において、裏板は、羽根室側において、その長孔の周囲に形成された環状凹部を有し、裏板の環状凹部には、吸着シート部材が配置されている、構成を採用することができる。
この構成によれば、地板の羽根室側（内側）だけでなく、裏板の羽根室側（内側）においても、その長孔の周囲に環状凹部が形成され、その環状凹部に吸着シート部材が配置されているため、駆動部材を含む可動部材等から発生する摩耗粉や油滴（潤滑剤）等の異物が、地板の長孔を通して羽根室内に進入した場合、地板に設けられた吸着シート部材の吸着作用に加えて、裏板に設けられた吸着シート部材の吸着作用により、異物をより確実に捕獲することができ、羽根室を通過してその背後に配置される撮像素子等に達して付着する異物等をさらに低減ないし防止することができる。また、裏板の吸着シート部材は、環状凹部内に配置されているため、羽根室内に突出することなく、羽根部材を邪魔することなく、異物を吸着して捕らえることができる。
【０００９】
上記構成において、裏板は、羽根室側において、その環状凹状部の近傍に形成された複数の長尺凹部を有し、裏板の長尺凹部には、吸着シート部材が配置されている、構成を採用することができる。
この構成によれば、裏板の環状凹部の近傍に複数の長尺凹部が設けられ、これらの長尺凹部にも吸着シート部材が配置されているため、その分だけ吸着面積が大きくなり、羽根室内に進入した異物をより確実に捕獲することができる。
【００１０】
上記構成において、地板と裏板の間に配置されて羽根室を第１羽根室及び第２羽根室に二分すると共に露光用の開口部を有する中間板を含み、羽根部材は、シャッタ動作時に、開口部を開放するべく第１羽根室及び第２羽根室の一方に配置された先羽根及び開口部を閉鎖するべく第１羽根室及び第２羽根室の他方に配置された後羽根を含み、駆動部材は、先羽根に連結される駆動ピンを有する先羽根駆動部材及び後羽根に連結される駆動ピンを有する後羽根駆動部材を含み、地板及び裏板は、先羽根駆動部材の駆動ピンを通す長孔及び後羽根駆動部材の駆動ピンを通す長孔を有する、構成を採用することができる。
この構成によれば、先羽根駆動部材（の駆動ピン）により先羽根が中間板に沿って開閉駆動され、後羽根駆動部材（の駆動ピン）により後羽根が中間板に沿って開閉駆動されて、シャッタ動作（露光動作）が行われ、先羽根駆動部材及び後羽根駆動部材等から発生する摩耗粉や油滴（潤滑剤）等の異物が、地板及び裏板の間の羽根室（第１羽根室、第２羽根室）内に進入しても、地板及び裏板の長孔の周りに設けられた吸着シート部材により捕獲されて、羽根室を通過してその背後に配置される撮像素子等に達して付着する異物等を低減ないし防止することができる。
【００１１】
本発明のカメラは、上記の構成をなすいずれか一つのフォーカルプレンシャッタと、フォーカルプレンシャッタの後方に配置された撮像素子を含む、ことを特徴としている。
この構成によれば、構造の簡素化、装置の薄型化及び小型化等を達成しつつ、撮像素子に影響を及ぼす摩耗粉、油滴（潤滑剤）等の異物が地板及び裏板により画定される羽根室を通過して撮像素子側に入り込むのを抑制ないし防止でき、それ故に、高精細な画像を撮影することができる。
【発明の効果】
【００１２】
上記構成をなすフォーカルプレンシャッタによれば、構造の簡素化、装置の薄型化及び小型化等を達成しつつ、撮像素子等に影響を及ぼす摩耗粉、油滴（潤滑剤）等の異物が地板及び裏板により画定される羽根室を通過して撮像素子側に入り込むのを抑制ないし防止でき、それ故に、より高精細な画像を撮影することのできるフォーカルプレンシャッタ及びカメラを得ることができる。
【図面の簡単な説明】
【００１３】
【図１】本発明に係るフォーカルプレンシャッタの一実施形態を示すものであり、羽根部材（先羽根及び後羽根）がシャッタ動作前（露光動作前）のセット位置にセットされた状態を示す平面図である。
【図２】図１に示すフォーカルプレンシャッタにおいて、羽根部材（先羽根及び後羽根）がシャッタ動作を完了した状態を示す平面図である。
【図３】図１に示すフォーカルプレンシャッタに含まれる地板（長孔、環状凹部、長尺凹部、吸着シート部材）を外側から視た平面図である。
【図４】図１に示すフォーカルプレンシャッタに含まれる裏板（長孔、環状凹部、長尺凹部、吸着シート部材）を内側から視た平面図である。
【図５】図１に示すフォーカルプレンシャッタに含まれる地板及び裏板の一部を示すものであり、（ａ）は図３中のＥ１−Ｅ１にける部分断面図、（ｂ）は図４中のＥ２−Ｅ２における部分断面図である。
【図６】図１に示すフォーカルプレンシャッタに含まれる駆動部材の駆動ピン（先羽根駆動部材の駆動ピン）、地板、中間板、裏板において、地板の長孔及び裏板の長孔の近傍における部分断面図である。
【発明を実施するための形態】
【００１４】
以下、本発明の実施形態について、添付図面を参照しつつ説明する。
この実施形態に係るフォーカルプレンシャッタは、図１及び図２に示すように、露光用の開口部１０ａ及び二つの長孔１０ｂ，１０ｃを有する地板１０、地板１０と所定間隔をおいて配置されると共に露光用の開口部２０ａ及び二つの長孔２０ｂ、２０ｃを有する裏板２０、地板１０と裏板２０の間に配置されると共に露光用の開口部３０ａを有する中間板３０、地板１０の内側（地板１０と中間板３０の間の第１羽根室Ｗ１）に移動自在に配置された羽根部材としての先羽根４０、地板１０の内側（中間板３０と裏板２０の間の第２羽根室Ｗ２）に移動自在に配置された羽根部材としての後羽根５０、先羽根４０を駆動するべく地板１０の外側に移動自在に配置された駆動部材としての先羽根駆動部材６０、後羽根５０を駆動するべく地板１０の外側に移動自在に配置された駆動部材としての後羽根駆動部材７０、先羽根駆動部材６０の駆動ピン６０ａ及び後羽根駆動部材７０の駆動ピン７０ａをそれぞれ当接させるべく長孔１０ｂ，１０ｃの一端側に設けられた二つの緩衝部材８０，８０、地板１０の内側（羽根室Ｗ側）において長孔１０ｂ，１０ｃの周りに設けられた吸着シート部材９０（環状吸着シート部材９１、長尺吸着シート部材９２）、裏板２０の内側（羽根室Ｗ側）において長孔２０ｂ，２０ｃの周りに設けられた吸着シート部材１００（環状吸着シート部材１０１、長尺吸着シート部材１０２）、先羽根４０及び後羽根５０（すなわち、先羽根駆動部材６０及び後羽根駆動部材７０）をシャッタ動作前（露光動作前）のセット位置にセットするセット部材（不図示）、セット部材を駆動する駆動機構（不図示）、先羽根駆動部材６０及び後羽根駆動部材７０をセット位置に吸着保持する二つの電磁石（不図示）等を備えている。
【００１５】
地板１０は、図１ないし図３、図５（ａ）、図６に示すように、略矩形の平板状に形成されており、略矩形をなす露光用の開口部１０ａ、円弧部分及び半円部分が連続する長孔１０ｂ及び長孔１０ｃ、先羽根４０を回動自在に支持するべく内側（羽根室側）に立設された支軸１０ｄ，１０ｅ、後羽根５０を回動自在に支持するべく内側（羽根室側）に立設された支軸１０ｆ，１０ｇ、先羽根駆動部材６０を回動自在に支持するべく外側に立設された支軸１０ｈ、後羽根駆動部材７０を回動自在に支持するべく外側に立設された支軸１０ｉ、長孔１０ｂ，１０ｃの周囲において内側（羽根室側）に形成された二つの環状凹部１０ｊ、環状凹部１０ｊの近傍において内側（羽根室側）に形成された複数（ここでは、一つの環状凹部１０ｊに対して二つ）の長尺凹部１０ｋ，１０ｍ等を備えている。
環状凹部１０ｊは、円弧状の長孔１０ｂ，１０ｃの周囲に形成されており、その断面が略矩形の凹状溝に形成され、その溝底に環状吸着シート部材９１が配置されて固定されるようになっている。
長尺凹部１０ｋ，１０ｍは、環状凹部１０ｊを挟む両側において円弧状に伸長して形成されており、その断面が略矩形の凹状溝に形成され、その溝底に長尺吸着シート部材９２がそれぞれ配置されて固定されるようになっている。
【００１６】
裏板２０は、図１及び図２、図４、図５（ｂ）、図６に示すように、地板１０と平行に所定間隔をおいて配置されて地板１０に着脱自在に固定され、開口部１０ａに対応すると共に開口面積が若干大きい露光用の開口部２０ａ、地板１０の長孔１０ｂ，１０ｃに対応する長孔２０ｂ，２０ｃ、長孔２０ｂ，２０ｃの周囲において内側（羽根室側）に形成された二つの環状凹部２０ｊ、環状凹部２０ｊの近傍において内側（羽根室側）に形成された複数（ここでは、一つの環状凹部２０ｊに対して二つ）の長尺凹部２０ｋ，２０ｍ等を備えている。
そして、裏板２０は、地板１０と協働して羽根部材（先羽根４０及び後羽根５０）を収容する羽根室Ｗを画定するようになっている。
環状凹部２０ｊは、円弧状の長孔２０ｂ，２０ｃの周囲に形成されており、その断面が略矩形の凹状溝に形成され、その溝底に環状吸着シート部材１０１が配置されて固定されるようになっている。
長尺凹部２０ｋ，２０ｍは、環状凹部２０ｊを挟む両側において円弧状に伸長して形成されており、その断面が略矩形の凹状溝に形成され、その溝底に長尺吸着シート部材１０２がそれぞれ配置されて固定されるようになっている。
【００１７】
中間板３０は、図１及び図２、図６に示すように、開口部１０ａに対応すると共に開口面積が若干大きい露光用の開口部３０ａを備え、地板１０及び裏板２０の長孔１０ｂ，１０ｃ、２０ｂ、２０ｃに対応する領域（駆動ピン６０ａ，７０ａが移動する領域）から外れた領域において地板１０と裏板２０の間に介在するように配置されて、地板１０と協働して先羽根４０を収容する第１羽根室Ｗ１を画定しかつ裏板２０と協働して後羽根５０を収容する第２羽根室Ｗ２を画定し、すなわち、羽根室Ｗを第１羽根室Ｗ１と第２羽根室Ｗ２に二分すると共に先羽根４０及び後羽根５０をその両面に沿わせて移動自在に案内するように形成されている。
【００１８】
先羽根４０は、図１及び図２に示すように、４枚の羽根本体４１，４２，４３，４４、羽根本体４１，４２，４３，４４を連結する２つのアーム４５，４６により構成されている。
アーム４５は、支軸１０ｄにより回動自在に支持されると共に、その一部が先羽根駆動部材６０の駆動ピン６０ａに連結されている。
アーム４６は、支軸１０ｅにより回動自在に支持されている。
そして、アーム４５が、図１に示すように先羽根駆動部材６０により図中の上方に向けて（反時計回りに）駆動されることにより、４枚の羽根本体４１，４２，４３，４４が展開して開口部１０ａ（２０ａ，３０ａ）を閉鎖し、一方、図２に示すように先羽根駆動部材６０により図中の下方に向けて（時計回りに）駆動されることにより、４枚の羽根本体４１，４２，４３，４４が重なり合って開口部１０ａ（２０ａ，３０ａ）を開放するようになっている。
【００１９】
後羽根５０は、図１及び図２に示すように、４枚の羽根本体５１，５２，５３，５４、羽根本体５１，５２，５３，５４を連結する２つのアーム５５，５６により構成されている。
アーム５５は、支軸１０ｆにより回動自在に支持されると共に、その一部が後羽根駆動部材７０の駆動ピン７０ａに連結されている。
アーム５６は、支軸１０ｇにより回動自在に支持されている。
そして、アーム５５が、図１に示すように後羽根駆動部材７０により図中の上方に向けて（反時計回りに）駆動されることにより、４枚の羽根本体５１，５２，５３，５４が重なり合って開口部１０ａ（２０ａ，３０ａ）を開放し、一方、図２に示すように後羽根駆動部材７０により図中の下方に向けて（時計回りに）駆動されることにより、４枚の羽根本体５１，５２，５３，５４が展開して開口部１０ａ（２０ａ，３０ａ）を閉鎖するようになっている。
【００２０】
先羽根駆動部材６０は、図１及び図２に示すように、先羽根４０のアーム４５が連結される駆動ピン６０ａ、シャッタ動作前（露光動作前）のセット位置にセットする際にセット部材が係合して反時計回りに回転力が及ぼされる係合部６０ｂ、電磁石により吸着される被吸着部（不図示）等を備えている。
そして、先羽根駆動部材６０は、地板１０の外側において支軸１０ｈにより回動自在に支持されると共に付勢バネ（不図示）により時計回りに回転付勢され、駆動ピン６０ａが長孔１０ｂ，２０ｂに移動自在に挿入されると共に先羽根４０のアーム４５に連結されており、休止状態で付勢バネにより時計回りに回転させられて先羽根４０を開放位置に移動させると共に駆動ピン６０ａが緩衝部材８０に当接し、一方、セット部材により反時計回りに回転させられて先羽根４０を閉鎖位置に移動させ、レリーズ等の信号による露光動作時に電磁石の通電により被吸着部が吸着されてシャッタ動作前のセット位置に保持され、電磁石を非通電とすることにより磁力による吸着が解除されて、付勢バネの付勢力により時計回りに回転させられて先羽根４０を開放位置に移動させるようになっている。
【００２１】
後羽根駆動部材７０は、図１及び図２に示すように、後羽根５０のアーム５５が連結される駆動ピン７０ａ、シャッタ動作前（露光動作前）のセット位置にセットする際にセット部材が係合して反時計回りに回転力が及ぼされる係合部７０ｂ、電磁石により吸着される被吸着部（不図示）等を備えている。
そして、後羽根駆動部材７０は、地板１０の外側において支軸１０ｉにより回動自在に支持されると共に付勢バネ（不図示）により時計回りに回転付勢され、駆動ピン７０ａが長孔１０ｃ，２０ｃに移動自在に挿入されると共に後羽根５０のアーム５５に連結されており、休止状態で付勢バネにより時計回りに回転させられて後羽根５０を閉鎖位置に移動させると共に駆動ピン７０ａが緩衝部材８０に当接し、一方、セット部材により反時計回りに回転させられて後羽根５０を開放位置に移動させ、レリーズ等の信号による露動作動時に電磁石の通電により被吸着部が吸着されてシャッタ動作前のセット位置に保持され、電磁石を非通電とすることにより磁力による吸着が解除されて、付勢バネの付勢力により時計回りに回転させられて後羽根５０を閉鎖位置に移動させるようになっている。
【００２２】
緩衝部材８０，８０は、弾性変形可能なゴム材料等により形成されており、図１及び図２に示すように、地板１０の長孔１０ｂ，１０ｃの一端側の半円部分に嵌め込まれて固定され、シャッタ動作完了時に、駆動ピン６０ａ、７０ａを当接させて衝撃を緩和するようになっている。
【００２３】
吸着シート部材９０は、先羽根駆動部材６０及び後羽根駆動部材７０を含む可動部材等から発生する摩耗粉、油滴（特に、オレフィン系オイル、エステル系オイル等の潤滑剤）等の異物を吸着し得る（粘着性のある）薄膜状の吸着シート材により形成されており、図１ないし図３、図５（ａ）に示すように、地板１０の二つの環状凹部１０ｊ，１０ｊに配置される環状吸着シート部材９１、地板１０の四つの長尺凹部１０ｋ，１０ｍ，１０ｋ，１０ｍに配置される長尺吸着シート部材９２により構成されている。
そして、地板１０の環状凹部１０ｊに設けられた環状吸着シート部材９１及び長尺凹部１０ｋ，１０ｍに設けられた長尺吸着シート部材９２は、羽根室Ｗ内に露出した状態となり、羽根室内Ｗに入り込んだ異物を吸着して捕獲するようになっている。
【００２４】
このように、地板１０には、羽根室Ｗ側（内側）において、長孔１０ｂ，１０ｃの周囲に環状凹部１０Ｊ，１０ｊが形成され、環状凹部１０ｊ，１０ｊに吸着シート部材（環状吸着シート部材９１，９１）が配置されているため、先羽根駆動部材６０及び後羽根駆動部材７０を含む可動部材等から発生する摩耗粉や油滴（潤滑剤）等の異物が、地板１０の長孔１０ｂ，１０ｃを通して羽根室Ｗ内に進入すると、羽根室Ｗ内に設けられた環状吸着シート部材９１に吸着されて捕獲される。
それ故に、地板１０及び裏板２０により形成される羽根室Ｗを通過してその背後に配置される撮像素子等に達する異物等が低減ないし防止される。また、環状吸着シート部材９１は、環状凹部１０ｊ内に配置されているため、羽根室Ｗ内に突出することなく、それ故に、羽根部材（先羽根４０、後羽根５０）を邪魔することなく、異物が吸着されて捕獲される。
また、地板１０の環状凹部１０ｊの近傍に複数の長尺凹部１０ｋ，１０ｍが設けられ、長尺凹部１０ｋ，１０ｍにも吸着シート部材（長尺吸着シート部材９２，９２）が配置されているため、その分だけ吸着面積が大きくなり、地板１０の長孔１０ｂ，１０ｃを通して羽根室Ｗ内に進入した異物はより確実に捕獲される。さらに、長尺吸着シート部材９２，９２は、長尺凹部１０ｋ，１０ｍ内に配置されているため、羽根室Ｗ内に突出することなく、それ故に、羽根部材（先羽根４０、後羽根５０）を邪魔することなく、異物が吸着されて捕獲される。
【００２５】
吸着シート部材１００は、先羽根駆動部材６０及び後羽根駆動部材７０を含む可動部材等から発生する摩耗粉、油滴（特に、オレフィン系オイル、エステル系オイル等の潤滑剤）等の異物を吸着し得る（粘着性のある）薄膜状の吸着シート材により形成されており、図１及び図２、図４、図５（ｂ）に示すように、裏板２０の二つの環状凹部２０ｊ，２０ｊに配置される環状吸着シート部材１０１、裏板２０の四つの長尺凹部２０ｋ，２０ｍ，２０ｋ，２０ｍに配置される長尺吸着シート部材１０２により構成されている。
そして、裏板２０の環状凹部２０ｊに設けられた環状吸着シート部材１０１及び長尺凹部２０ｋ，２０ｍに設けられた長尺吸着シート部材１０２は、羽根室Ｗ内に露出した状態となり、羽根室内Ｗに入り込んだ異物を吸着して捕獲するようになっている。
【００２６】
このように、裏板２０の羽根室Ｗ側（内側）においても、長孔２０ｂ，２０ｃの周囲に環状凹部２０ｊ，２０ｊが形成され、環状凹部２０ｊ，２０ｊに吸着シート部材（環状吸着シート部材１０１，１０１）が配置されているため、先羽根駆動部材６０及び後羽根駆動部材７０を含む可動部材等から発生する摩耗粉や油滴（潤滑剤）等の異物が、地板１０の長孔１０ｂ，１０ｃを通して羽根室Ｗ内に進入した場合、地板１０に設けられた吸着シート部材９０（環状吸着シート部材９１，長尺吸着シート部材９２）の吸着作用に加えて、裏板２０に設けられた環状吸着シート部材１０１に吸着されて捕獲され、羽根室Ｗを通過してその背後に配置される撮像素子等に達する異物等がさらに低減ないし防止される。また、環状吸着シート部材１０１は、環状凹部２０ｊ内に配置されているため、羽根室Ｗ内に突出することなく、それ故に、羽根部材（先羽根４０、後羽根５０）を邪魔することなく、異物を吸着して捕獲される。
また、裏板２０の環状凹部２０ｊの近傍に複数の長尺凹部２０ｋ，２０ｍが設けられ、長尺凹部２０ｋ，２０ｍにも吸着シート部材（長尺吸着シート部材１０２，１０２）が配置されているため、その分だけ吸着面積が大きくなり、羽根室Ｗ内に進入した異物がより確実に捕獲される。さらに、長尺吸着シート部材１０２，１０２は、長尺凹部２０ｋ，２０ｍ内に配置されているため、羽根室Ｗ内に突出することなく、それ故に、羽根部材（先羽根４０、後羽根５０）を邪魔することなく、異物が吸着されて捕獲される。
【００２７】
次に、このフォーカルプレンシャッタの動作について、図１及び図２を参照しつつ説明する。
先ず、シャッタ動作完了後（露光動作完了後）の休止状態においては、図２に示すように、先羽根駆動部材６０は時計回りに回転して、駆動ピン６０ａが緩衝部材８０に当接して停止すると共に、先羽根４０は開口部１０ａを開放した位置に停止し、又、後羽根駆動部材７０は時計回りに回転して、駆動ピン７０ａが緩衝部材８０に当接して停止すると共に、後羽根５０は開口部１０ａを閉鎖した位置に停止している。
この状態において、先羽根駆動部材６０及び後羽根駆動部材７０を含む可動部材等から発生する摩耗粉や油滴（潤滑剤）等の異物が、地板１０の長孔１０ｂ，１０ｃを経由して羽根室Ｗ内に進入すると、地板１０の内側において長孔１０ｂ，１０ｃの周りに設けられた吸着シート部材９０（環状吸着シート部材９１、長尺吸着シート部材９２）により吸着されて捕獲され、又、裏板２０の内側において長孔２０ｂ，２０ｃの周りに設けられた吸着シート部材１００（環状吸着シート部材１０１、長尺吸着シート部材１０２）により吸着されて捕獲される。これにより、羽根室Ｗ内に一旦進入した異物は、外部に飛散して撮像素子等に付着するのが防止される。
【００２８】
ここで、レリーズ動作等により、シャッタ動作の準備指令が発せられると、セット部材によりセット動作が行われて、図１に示すように、先羽根駆動部材６０が反時計回りに回転してシャッタ動作前のセット位置（先羽根４０が開口部１０ａを閉鎖した状態）に位置付けられ、かつ、後羽根駆動部材７０が反時計回りに回転してシャッタ動作前のセット位置（後羽根５０が開口部１０ａを開放した状態）に位置付けられ、続いて、電磁石が通電されるとそれぞれの被吸着部が吸着されて、先羽根駆動部材６０及び後羽根駆動部材７０が時計回りに回転付勢する付勢バネの付勢力に抗してセット位置に保持される。そして、セット部材が休止位置に戻されて、先羽根駆動部材６０及び後羽根駆動部７０の時計回りの回転を規制する状態が解除される。
【００２９】
続いて、所望のタイミングで、一方の電磁石の通電が断たれると、図１に示すように、先羽根駆動部材６０が付勢バネの付勢力により時計回りに回転して、駆動ピン６０ａが長孔１０ｂ内を移動して緩衝部材８０に当接すると共に、先羽根４０が開口部１０ａを開放した位置に停止する。
続いて、所望のタイミングで、他方の電磁石の通電が断たれると、図１に示すように、後羽根駆動部材７０が付勢バネの付勢力により時計回りに回転して、駆動ピン７０ａが長孔１０ｃ内を移動して緩衝部材８０に当接すると共に、後羽根５０が開口部１０ａを閉鎖した位置に停止する。
以上により、先羽根４０及び後羽根５０による開口部１０ａの開閉動作が行われて、１回のシャッタ動作が完了する。
【００３０】
上記シャッタ動作に際して、先羽根駆動部材６０及び後羽根駆動部材７０等から発生する摩耗粉や油滴（潤滑剤）等の異物が、地板１０及び裏板２０の間の羽根室Ｗ（第１羽根室Ｗ１、第２羽根室Ｗ２）内に進入しても、地板１０及び裏板２０の長孔１０ｂ，１０ｃ，２０ｂ，２０ｃの周りに設けられた吸着シート部材９０，１００（環状吸着シート部材９１，１０１、長尺吸着シート部材９２，１０２）により捕獲されて、羽根室Ｗを通過してその背後に配置される撮像素子等に達して付着する異物等を低減ないし防止することができる。
【００３１】
以上述べたように、上記構成をなすフォーカルプレンシャッタによれば、構造の簡素化、装置の薄型化及び小型化等を達成しつつ、撮像素子等に影響を及ぼす摩耗粉、油滴（潤滑剤）等の異物が地板１０及び裏板２０により画定される羽根室Ｗを通過して撮像素子側に入り込むのを抑制ないし防止でき、それ故に、撮像素子を備えたデジタルカメラ等に適用された場合に、より高精細な画像を撮影することができる。
【００３２】
上記実施形態においては、吸着シート部材として、環状又は長尺状で薄幕状のものを示したが、これに限定されるものではなく、その他の形態をなす吸着シート部材を採用することができる。
上記実施形態においては、地板１０及び裏板２０の長孔１０ｂ，１０ｃ，２０ｂ，２０ｃの周囲において、それぞれ一つの環状凹部１０ｊ、２０ｊを設けた場合を示したが、これに限定されるものではなく、二つ以上の環状凹部を設け、それぞれの環状凹部に環状吸着シール部材を配置してもよい。
【００３３】
上記実施形態においては、羽根部材として先羽根４０及び後羽根５０を備え、駆動部材として先羽根駆動部材６０及び後羽根駆動部材７０を備えた構成において、地板１０の二つの長孔１０ｂ，１０ｃ及び裏板２０の二つの長孔２０ｂ，２０ｃの近傍に吸着シート部材を配置した場合を示したが、これに限定されるものではなく、例えば、一つの羽根部材及び一つの駆動部材を備え、単に開口部を開放した状態から閉鎖した状態に移動することでシャッタ動作を行う構成において、一つの駆動部材の駆動ピンを通す地板の一つの長孔及び裏板の一つの長孔に対応させて、本発明の吸着シート部材を配置する構成を採用してもよい。
【００３４】
上記実施形態においては、レンズ光学系、フォーカルプレンシャッタ、撮像素子等を含むカメラにおいて、地板１０に駆動部材（先羽根駆動部材６０、後羽根駆動部材７０）が配置された側（ここでは表側）がレンズ光学系の光軸方向における被写体側に向けられ、地板１０と協働して羽根室Ｗを画定する裏板２０がレンズ光学系の光軸方向における撮像素子側に向けられる構成を前提として、作用効果を説明したが、これに限定されるものではなく、逆に、地板１０に駆動部材（先羽根駆動部材６０、後羽根駆動部材７０）が配置された側（ここでは表側）がレンズ光学系の光軸方向における撮像素子側に向けられ、裏板２０側がレンズ光学系の光軸方向におけるに被写体側に向けられる構成においても、同様の作用効果が得られるものであり、それ故に、このような配置において本発明を採用してもよい。
【産業上の利用可能性】
【００３５】
以上述べたように、本発明のフォーカルプレンシャッタは、構造の簡素化、装置の薄型化及び小型化等を達成しつつ、撮像素子等に影響を及ぼす摩耗粉、油滴（潤滑剤）等の異物が地板及び裏板により画定される羽根室を通過して撮像素子側に入り込むのを抑制ないし防止でき、より高精細な画像を撮影することができるため、一眼カメラ、一眼レフカメラ、ミラーレスカメラ、レンジファインダカメラ等のデジタルカメラに適用できるのは勿論のこと、その他の露光用の開口部を備えた光学機器に対しても有用である。
【符号の説明】
【００３６】
１０  地板
１０ａ  開口部
１０ｂ，１０ｃ  長孔
１０ｊ  環状凹部
１０ｋ，１０ｍ  長尺凹部
２０  裏板
２０ａ  開口部
２０ｂ，２０ｃ  長孔
２０ｊ  環状凹部
２０ｋ，２０ｍ  長尺凹部
３０  中間板
３０ａ  開口部
Ｗ  羽根室
Ｗ１  第１羽根室
Ｗ２  第２羽根室
４０  先羽根（羽根部材）
５０  後羽根（羽根部材）
６０  先羽根駆動部材（駆動部材）
６０ａ  駆動ピン
７０  後羽根駆動部材（駆動部材）
７０ａ  駆動ピン
８０  緩衝部材
９０  吸着シート部材
９１  環状吸着シート部材
９２  長尺吸着シート部材
１００  吸着シート部材
１０１  環状吸着シート部材
１０２  長尺吸着シート部材
【図１】
2015148734.tif 000003
【図２】
2015148734.tif 000004
【図３】
2015148734.tif 000005
【図４】
2015148734.tif 000006
【図５】
2015148734.tif 000007
【図６】
2015148734.tif 000008